(57)【要約】プーリ上のフレキシブルベルトを取り付けるためのベルト取付け具１０。１つの面において、取付け具１０の半径は実質的にプーリフランジの半径と同じである。取付け具のこの面にある受け面１２は、ベルトを伸ばしプーリ上にベルトを導く。ベルトの損傷をさけるために、取付け具１０とプーリフランジの半径は、プーリの全長のほとんどの部分と実質的に同じであるべきである。この半径の中心穴１５は、取付け具を通って突き出す片口ソケットを収容するために提供される。ソケットはクランクシャフトボルトと係合し、このゆえに、ベルト取付け具１０は、ソケットセンターラインに沿ってプーリの中心に置かれる。取付け具とプーリはそのとき、ソケットに固定されたラチェットと一緒に回転せしめられる。取付け具１０は、ベルトに損傷を与えられるくらい荒く半径を変化させることなく適切な半径にベルトが伸ばされることを許し、可変半径を有するベルト受け面１２を備える。ベルトは、プーリ溝に隣接する受け面上に取付け具半径が提供される引き出しブロック５０によって、取付け具１０からプーリ溝の中にむかって軸方向に動かされる。クランクシャフトの周りに取付け具１０を回転させることにより、引き出しブロック５０はベルト側面を導き、プーリ溝の中に動くことを引き起こす。引き出しブロック５０は、プーリリム上にある取付け具１０をさらに保持するリップ５２を備える。
2004534180.tif 000002
【特許請求の範囲】
【請求項１】
穴を有し、ベルト受け面を有する本体と、
前記ベルト受け面から伸びるブロックとを備え、前記ブロックは、プーリリムと係合するためのリップを有し、
前記穴は、前記ベルト受け面の一部がプーリ溝に隣接するようなプーリシャフトボルトと合わせることが可能であるベルト取付け具。
【請求項２】
前記ブロックは、最大半径で前記ベルト受け面と固定され、前記ベルト受け面と実質的に垂直に伸びるベルト付勢面とを有し、
前記ベルト受け面は、さらに可変半径を備え、前記半径は前記ブロックから前記穴に隣接する最小半径の方向に向かって減少する請求項１に記載のベルト取付け具。
【請求項３】
前記ベルト受け面に実質的に垂直な面をさらに備え、前記面はプーリリムに対向する前記ベルト受け面の端から伸びる
請求項２に記載のベルト取付け具。
【請求項４】
留め具が溝幅を押し縮めるために使用され、それによって前記穴の半径が減少し、前記取付け具がシャフトを締め付けるような前記穴から径方向に伸びる前記幅を有する溝をさらに備える
請求項３に記載のベルト取付け具。
【請求項５】
前記最大半径は、プーリリムの前記半径と実質的に同じである請求項４に記載のベルト取付け具。
【発明の詳細な説明】
【０００１】
（発明の分野）
本発明は、ベルト取付け具に関し、特に、偏心した傾斜路面を有し、それによってフレキシブルドライブベルトが伸ばされ、漸進的にプーリ溝に導かれるベルト取付け具に関する。
【０００２】
（発明の背景）
ベルトドライブシステムは、重要で広く使われる機械的動力伝達の形状を備える。一般に、ベルトは２又はそれ以上のプーリ、より特に駆動及び被動プーリの間を移動する。
【０００３】
プーリ間で効率よく動力を伝達するために、ベルトは、前もって決められた予加重またはテンションをもって取り付けられる。テンション量は、一般に、駆動に必要な馬力やトルクの関数である。増加した馬力やトルクの必要量は、一般に、ベルトのテンションについて比例した増加を必要とするであろう。
【０００４】
適切なテンションを与えるために、１以上のプーリが緩められ、それで、シャフトあるいは複数のシャフトはベルトのたるんだ状況を許すように動かされることができる。そのとき、ベルトはプーリに架け回される。ゆるんだプーリまたは複数のプーリは、そのとき、前もって決められたポジションに引っ張られまたは締め付けられ、ベルトのテンションに起因する。この過程は、ベルトに適切にテンションを付与するために機械的に適合させられるプーリまたは複数のプーリを必要とする。
【０００５】
ベルトは、他の方法を使って、プーリシステムの上に取り付けられてもよい。自動テンション付与デバイスを持ったシステムについては、テンショナに、負荷がかけられ、ベルトは操作位置に配置され、テンショナはその操作上の位置に放たれる。テンショナの無いシステムについては、ベルトはプーリに巻かれ、そのときプーリは、ブラケット又はブラケットと同様なデバイスによってその最終の位置に締め付けられる。
【０００６】
ベルトを取り付けるその他の方法は、機械的にプーリを適合させる必要のないプーリ溝の中へのベルトを押す取付け具の使用を伴う。取付け具はプーリに隣接して使用される。それは、横の方にプーリ溝を押し込みながらベルトを伸ばす。
【０００７】
従来技術の代表的なものは、ハッチンソン（Ｈｕｔｃｈｉｎｓｏｎ）の欧州特許第０ ８３１ ２４７ Ｂ１であり、これは、プーリの外周面に対して置かれる径方向のスラスト領域を有し、プーリ面から間隔を空けて配置された平面までプーリからベルトを遠ざける取付け具を開示している。
【０００８】
また、技術の代表的なものは、ボイヤー（Ｂｏｙｅｒ ｅｔ ａｌ．）の米国特許第４，１９３，３１０（１９８０）であり、これは、プーリリムの上にベルトを係合し位置するためリムから放射状にそして横方向に伸びる拡散手段を有するプーリを開示している。この発明は、徐々にプーリ上にベルトを乗せるための受け面を備えず、代わりにプーリ溝の中にベルトを荒く折り曲げるくいを有する。
【０００９】
従来技術装置は、取付け具の小さな半径部分にベルトを折り曲げる力を与え、取付け中にベルトを損傷する高い応力集中を引き起こす。さらに、横方向の負荷は、ベルトの横壁に損傷を与える。最後に、プーリ溝に入るようなベルトの横の動きは同様にベルトに損傷を与えるかもしれない。
【００１０】
必要とされるのは、可変の半径と実質的にプーリ溝と合わせる部分を有する偏心ベルト受け面を有するベルト取付け具である。必要とされるのは、プーリボルトを係合するためにソケットを受けるための穴を有するベルト取付け具である。必要とされるのは、ベルト受け面が実質的にプーリ半径と一致する半径を有するベルト取付け具である。必要とされるのは、プーリ溝の中にベルトを追い立てるためのベルト受け面に垂直な面を有するベルト取付け具である。本発明は、これらの必要に合致する。
【００１１】
（発明の概要）
本発明の第１の特徴は、可変の半径と実質的にプーリ溝と合う部分を有する偏心ベルト受け面を有するベルト取付け具を提供することである。
【００１２】
本発明の他の特徴は、プーリボルトと係合するソケットを受ける穴を有するベルト取付け具を提供することである。
【００１３】
本発明の他の特徴は、ベルト受け面が実質的にプーリ半径と一致する半径を有するベルト取付け具を提供することである。
【００１４】
本発明の他の特徴は、プーリ溝の中にベルトを付勢するためのベルト受け面に垂直な面を有するベルト取付け具を提供することである。
【００１５】
本発明の他の特徴は、本発明の以下の記載と添付する図面によって示され、明らかになるであろう。
【００１６】
本発明は、プーリにおけるフレキシブルベルトを取り付けるためのベルト取付け具を備える。取付け具は、偏心ベルト受け面を備える。１つの面において、取付け具の半径は実質的に、プーリ中心からプーリリム又はフランジまでの半径と同等である。取付け具のこの面における受け面は、ベルトを伸ばし、プーリ溝の中にベルトを導く。ベルトの損傷をさけるために、取付け具のベルト受け面の半径とプーリフランジの半径は、取付け具の全長のほとんどの部分で実質的に同じであるべきである。取付け具半径の中心にある穴は、クランクシャフトまたはプーリボルトと係合するために取付け具を通って突き出す片口ソケットに順応するために提供され、このゆえに、ベルト取付け具は、ソケットセンターラインに沿ったプーリを中心に置かれる。取付け具とプーリはそのとき、ソケットに固定されたラチェットと一緒に回転せしめられる。ベルトは、プーリ溝に隣接したベルト受け面上の最大取付け具半径において提供される引き出しブロック（ｌｅａｄｅｒｂｌｏｃｋ）によって取付け具からプーリ溝の方に向かって軸方向に動かされる。クランクシャフトの周りに取付け具を回転させることによって、引き出しブロックはベルト側面をプレスし、それをプーリ溝の中に動かすことを引き起こす。引き出しブロックはまた、プーリリムに係合するリップを備える。
【００１７】
明細書に組み込まれて明細書の一部を構成し、同じ番号が同じ部材を示している添付図面は、本発明の好ましい実施形態を示し、記述とともに、本発明の原理を説明するために役立つ。
【００１８】
（好ましい実施形態の詳細な説明）
図１は、ベルト取付け具の前部斜視図である。取付け具１０は、本体１１を備える。本体１１は、ベルト受け面１２とベルト受け面１３とを備える。面１２は半径Ｒ１２を有し、面１３は半径Ｒ１３を有する。半径Ｒ１２は、穴１５の中心に中心が置かれる。半径Ｒ１３は、半径Ｒ１２よりも小さい。
【００１９】
本体１１にある穴１５は直径Ｄ１５を有する。プーリに対して取付け具を置くために受け面を提供する隆起部１６は穴１５を取り囲む。 溝１７は穴１５から径方向にカットされる。溝１７は、幅Ｇを有する。穴１８は溝１７を横切る。穴１８は、留め具１９（図示しない）を収容するためにネジが切られている。ラチェットソケット（図示しない）は穴１５に挿入される。そのときファスナー１９は締め付けられ、溝１７を圧縮し、そしてそれによってソケット周りの穴１５は、ソケットを取付け具に堅く固定する。
【００２０】
エッジ１４は、取付け具の外側の部分の周りに広がる。エッジ１４は、ベルトが受け面に緩く架けまわされる時、取付け具からの滑りからベルトを予防する垂直面である。
【００２１】
ブロック５０は、公知の（図示しない）ネジを切ったファスナーのような、留め具によって面１２に固定される。留め具は溝５１を通って挿入される。ブロック５０は、溝５３と一緒にプーリのリムと係合するリップ５２を備える。取付け具の適切な操作のために正確な同等さは要求されないが、リップ５２と溝５３はそれぞれ、実質的に半径Ｒ１２に一致する半径を有する。
【００２２】
操作において、プーリシャフトボルトと一致する大きさを有するソケットＳは、穴１５を通って挿入される。留め具１９は締め付けられ、それによって取付け具１０をソケットＳに固定する。リップ５２はプーリリムに係合される。ソケットＳは、そのときクランクシャフトまたはプーリボルトＣに係合される。ベルトＢは取付け具の面３０、３１の周りに緩く架けまわされる。ラチェットはソケットＳに接続される。取付け具１０は、ラチェットにより回転せしめられ、これによりベルトＢを面１３に接触させる。ラチェットがさらに回転されると、取付け具１０はベルトＢが面１２に係合するまでベルトＢの下で回転する。半径Ｒ１２がプーリの半径に実質的に等しいので、ベルトは、面１２に係合すると、プーリ溝に実質的に隣接するであろう。取付け具がさらに回転されると、ベルトは引き出しブロック５０のエッジ５５に係合する。エッジ５５との係合は、ベルトＢをプーリ溝のほうに付勢する。取付け具がさらに回転されると、ベルトはプーリ溝の中に架け回される。取付け具がちょうど一回転すると、ベルトは完全にプーリに係合され、取付け具から離される。取付け具はそのときクランクシャフトボルトから外される。
【００２３】
図２は、取付け具の前部斜視図である。穴１５は図１に描かれているように取付け具の前部から後部に伸びている。引き出しブロック５０は、面１２に取り付けられていることが示される。
【００２４】
図３は、引き出しブロックにおけるかみ合わせ面の斜視図である。溝５１はブロック５０を通って伸びる。リップ５２と溝５３は、プーリのリムと係合する。ネジを切ったファスナー（図示しない）のような、留め具は、面１２にブロックを固定するため溝５１を通って伸びる。溝５３は、プーリリムのカーブに一致するために、穴１５の中心軸を中心としたわずかな半径を備える。操作において、リップ５２は、穴１５を通って伸びるソケットがシャフトボルトと係合する間、プーリのリムに係合し、それによってベルトを取り付けるために取付け具をプーリに堅く固定する。
【００２５】
図４は、使用時における取付け具の斜視図である。取付け具１０は、穴１５を通って係合されたソケット取付け具Ｔと一緒に示される。ソケットＴは、プーリボルト（図示しない）と係合する。最初のうちは、ベルトＢは、示されるようなプーリＰを係合する部分で、面１２、１３と緩く係合される。取付け具とプーリが使用者によってＭ方向に回転されると、ベルトＢは、ブロック５０との相互作用によって、プーリ溝の中に徐々に付勢される。ベルトはプーリ及び取付け具の１回転が完了するとのプーリ溝に完全に係合する。
【００２６】
本発明のひとつの形態が説明されたが、本発明の精神と範囲から逸脱することなく、変形が各部分の構成と関係に施されることは当業者にとって自明である。
【００２７】
【図面の簡単な説明】
【図１】
図１は、ベルト取付け具の後部斜視図である。
【図２】
図２は、取付け具の前部斜視図である。
【図３】
図３は、引き出しブロックにおけるかみ合わせ面の斜視図である。
【図４】
図４は、使用時における取付け具の斜視図である。
【国際公開パンフレット】
2004534180.tif 000003
2004534180.tif 000004
2004534180.tif 000005
2004534180.tif 000006
2004534180.tif 000007
2004534180.tif 000008
2004534180.tif 000009
2004534180.tif 000010
2004534180.tif 000011
2004534180.tif 000012
2004534180.tif 000013
2004534180.tif 000014
2004534180.tif 000015
2004534180.tif 000016
【国際調査報告】
2004534180.tif 000017
2004534180.tif 000018
2004534180.tif 000019